(57)【要約】【課題】除鉄を行うことが可能な浄水装置であって、小型化を図ることができる上、精密制御が不要で、より安全に取り扱うことのできる浄水装置、および当該浄水装置が組み込まれた浄水モジュールを得る。【解決手段】浄水装置１０は、被処理水中に溶存する鉄成分を除去することが可能な装置である。そして、この浄水装置１０は、錠剤状の塩素化シアヌル酸が被処理水に接触できるように配置される酸化ユニット２０と、酸化ユニット２０の下流側に配置される濾過ユニット３０と、濾過ユニット３０の下流側に配置される活性炭ユニット４０と、を備えている。【選択図】図１
2015213890.tif 000002
【特許請求の範囲】
【請求項１】
被処理水中に溶存する鉄成分を除去することが可能な浄水装置であって、
錠剤状の塩素化シアヌル酸が被処理水に接触できるように配置される酸化ユニットと、
前記酸化ユニットの下流側に配置される濾過ユニットと、
前記濾過ユニットの下流側に配置される活性炭ユニットと、
を備えることを特徴とする浄水装置。
【請求項２】
前記濾過ユニットには、鉄を５重量％以上含有する濾材が１０％以上含まれていることを特徴とする請求項１に記載の浄水装置。
【請求項３】
殺菌ユニットをさらに備えており、
前記殺菌ユニットが、前記活性炭ユニットの下流側に配置されていることを特徴とする請求項１または請求項２に記載の浄水装置。
【請求項４】
前記殺菌ユニットは、深紫外線波長領域の光を発生させる紫外線殺菌部を有することを特徴とする請求項３に記載の浄水装置。
【請求項５】
前記殺菌ユニットは、オゾン殺菌部を有することを特徴とする請求項３または請求項４に記載の浄水装置。
【請求項６】
請求項１〜５のうちいずれか１項に記載の浄水装置がハウジング内に組み込まれていることを特徴とする浄水モジュール。
【発明の詳細な説明】
【技術分野】
【０００１】
本発明は、被処理水の浄化を行う浄水装置および当該浄水装置が組み込まれた浄水モジュールに関する。
【背景技術】
【０００２】
従来より、被処理水の浄化を行う浄水装置として、種々の装置が提案されている。そして、このような浄水装置を用いることで、例えば、被処理水としての井戸水を浄化して浄水を得ることができる。
【０００３】
このように、井戸水を被処理水として用いて浄化する場合、給水ポンプで井戸水を増圧して、浄水装置等の供給先へと供給するのが一般的である。
【０００４】
ところで、井戸水の水質は地域によって異なるものであり、例えば、東南アジア等では、井戸水の中に多くの鉄イオン（鉄成分）が溶存していることがある。このような井戸水は、そのまま飲料水等の生活用水として用いるのには適していない。そのため、浄水装置等を用いて井戸水中に溶存している鉄成分を除去し、飲料水等の生活用水として適した水とするのが好ましい。
【０００５】
そして、井戸水に含まれる鉄等の除去を行う浄水装置としては、特許文献１に示すような装置が知られている。
【０００６】
この特許文献１では、井戸水中に次亜塩素酸などの薬液を注入する除菌器と鉄や不純物を除去する濾過槽とを備えるようにした装置が提案されている。
【０００７】
また、特許文献２に示すような装置も知られている。
【０００８】
この特許文献２では、さらに高度で安全な水を提供するために複数の反応槽を用い、オゾン処理、除鉄処理などを行う方法が提案されている。
【先行技術文献】
【特許文献】
【０００９】
【特許文献１】特開２０１２−０４０４６３号公報
【特許文献２】特開２００７−２６８３４２号公報
【発明の概要】
【発明が解決しようとする課題】
【００１０】
しかしながら、特許文献１に記載の浄水装置のように、薬液を注入する除菌器を用いる場合、微量の薬液をより正確に注入する精密制御が必要となる。また、使用する薬液が危険であることから、薬液の管理が難しいという問題もある。
【００１１】
また、特許文献２に記載の浄水装置のように、複数の反応槽を用いた場合、安全性・信頼性を向上させることはできるものの、設備が大きなものとなってしまうため、設置面積等に制約がある場所への設置が困難であるという問題がある。
【００１２】
そこで、本発明は、除鉄を行うことが可能な浄水装置であって、小型化を図ることができる上、精密制御が不要で、より安全に取り扱うことのできる浄水装置を得ることを目的とする。
【００１３】
また、上記浄水装置が組み込まれた浄水モジュールを得ることを目的とする。
【課題を解決するための手段】
【００１４】
本発明にかかる浄水装置は、被処理水中に溶存する鉄成分を除去することが可能なものである。そして、前記浄水装置は、錠剤状の塩素化シアヌル酸が被処理水に接触できるように配置される酸化ユニットと、前記酸化ユニットの下流側に配置される濾過ユニットと、前記濾過ユニットの下流側に配置される活性炭ユニットと、を備えることを要旨とする。
【００１５】
また、本発明にかかる浄水モジュールは、前記浄水装置がハウジング内に組み込まれていることを要旨とする。
【発明の効果】
【００１６】
本発明によれば、除鉄を行うことが可能な浄水装置であって、小型化を図ることができる上、精密制御が不要で、より安全に取り扱うことのできる浄水装置を得ることができる。また、このような浄水装置が組み込まれた浄水モジュールを得ることができる。
【図面の簡単な説明】
【００１７】
【図１】本発明の一実施形態にかかる浄水装置が組み込まれた浄水モジュールを模式的に示す図である。
【図２】本発明の一実施形態にかかる酸化ユニットを模式的に示す断面図である。
【図３】本発明の一実施形態にかかる筐体部を模式的に示す断面図である。
【図４】本発明の一実施形態にかかる薬剤保持部、薬剤および回転軸を示す分解斜視図である。
【図５】本発明の一実施形態にかかる酸化ユニットの一変形例を模式的に示す断面図である。
【図６】本発明の一実施形態にかかる浄水装置の一変形例が組み込まれた浄水モジュールを模式的に示す図である。
【発明を実施するための形態】
【００１８】
以下、本発明の実施形態について図面を参照しつつ詳細に説明する。なお、以下の実施形態およびその変形例には同様の構成要素が含まれている。よって、以下では、それら同様の構成要素には共通の符号を付与するとともに、重複する説明を省略する。
【００１９】
本実施形態にかかる浄水モジュール１は、図１に示すように、ハウジング１ａを備えている。このハウジング１ａ内には、井戸水等の被処理水中の鉄成分の除去を行うことが可能な浄水装置１０が組み込まれている。
【００２０】
このように、浄水装置１０をハウジング１ａ内に組み込むことで、除鉄を行うことが可能な装置をモジュール化させることができる。したがって、より容易に除鉄可能な装置を設置することができるようになり、除鉄可能な装置の設置自由度を向上させることができるようになる。
【００２１】
浄水装置１０の上流側には配管Ｐ０が連結されている。この配管Ｐ０はハウジング１ａの側壁を貫通するように配置されており、ハウジング１ａの外部に露出している。
【００２２】
そして、配管Ｐ０の途中や先端に設置されたポンプ５０を駆動させることで井戸水等の被処理水を浄水装置１０内に導入できるようになっている。なお、ポンプ５０を浄水モジュール１内に内蔵させることも可能である。
【００２３】
一方、浄水装置１０の下流側には配管Ｐ３が連結されている。この配管Ｐ３もハウジング１ａの側壁を貫通するように配置されており、ハウジング１ａの外部に露出している。
【００２４】
この配管Ｐ３の下流側には蛇口６０が連結されており、浄水装置１０で浄化された浄水は、配管Ｐ３を通り、蛇口６０から外部に吐出されるようになっている。この蛇口６０は、ハウジング１ａに設けることも可能である。すなわち、蛇口６０が据え付けられた浄水モジュール１とすることも可能である。
【００２５】
浄水装置１０は、錠剤状の塩素化シアヌル酸が被処理水に接触できるように配置される酸化ユニット２０と、酸化ユニット２０の下流側に配置される濾過ユニット３０と、濾過ユニット３０の下流側に配置される活性炭ユニット４０と、を備えている。
【００２６】
このように、本実施形態では、上流側から酸化ユニット２０、濾過ユニット３０、活性炭ユニット４０という順で配置された浄水装置１０が用いられている（図１参照）。
【００２７】
また、酸化ユニット２０の下流側には配管Ｐ１が連結されており、この配管Ｐ１が濾過ユニット３０の上流側に連結されている。この配管Ｐ１内は、酸化ユニット２０にて処理された一次処理水が流れる流路となっている。
【００２８】
また、濾過ユニット３０の下流側には配管Ｐ２が連結されており、この配管Ｐ２が活性炭ユニット４０の上流側に連結されている。この配管Ｐ２内は、濾過ユニット３０にて処理された二次処理水が流れる流路となっている。
【００２９】
そして、活性炭ユニット４０の下流側には上述した配管Ｐ３が連結されている。したがって、配管Ｐ３内は、活性炭ユニット４０にて処理された三次処理水が流れる流路となっている。
【００３０】
すなわち、本実施形態の浄水装置１０を用いることで、被処理水は、酸化ユニット２０、濾過ユニット３０および活性炭ユニット４０を通過する度に段階的に処理されることとなる。そして、活性炭ユニット４０を通過することで生成される三次処理水を浄水として蛇口６０から供給することができるようになっている。
【００３１】
酸化ユニット２０は、錠剤状に固められた塩素化シアヌル酸に被処理水が接触するように設計されたものである。
【００３２】
このような酸化ユニット２０を用いることで、錠剤状に固められた塩素化シアヌル酸に被処理水が接触し、活性塩素を被処理水中に放出することができるようになる。そして、この活性塩素によって被処理水に溶存している第一鉄が第二鉄へと酸化される。さらに、第二鉄は、活性塩素によって水酸化第二鉄（Ｆｅ（ＯＨ３））のような酸化固形物へと変化する。このように、酸化ユニット２０は、被処理水に溶存している鉄を水酸化第二鉄として析出させることができるようにするものである。なお、被処理水に含まれる菌も活性塩素によって殺菌される。
【００３３】
塩素化シアヌル酸としては、ジクロロイソシアヌル酸、トリクロロイソシアヌル酸等を用いることができる。
【００３４】
塩素化イソシアヌル酸は、化学的に安定な固体の化合物であって、その取り扱いが容易な成分である。そして、この塩素化イソシアヌル酸を水と接触させると、塩素化イソシアヌル酸が加水分解されて強力な酸化能を有する活性塩素が水中に放出される。このとき、塩素化イソシアヌル酸から水中に放出された活性塩素は、水中における安定性が優れているため、より長時間に亘って水中の鉄成分を酸化させることができる。
【００３５】
なお、トリクロロイソシアヌル酸のほうがジクロロイソシアヌル酸よりも徐放性を有するため、より長期に亘って徐々に溶解させることができる。そのため、溶解速度の観点からは、トリクロロイソシアヌル酸を用いるのが望ましい。
【００３６】
しかしながら、塩素化シアヌル酸としてトリクロロイソシアヌル酸のみを用いる必要はない。すなわち、塩素化シアヌル酸としてジクロロイソシアヌル酸を用いることも可能であるし、ジクロロイソシアヌル酸およびトリクロロイソシアヌル酸の両方を用いることも可能である。また、ジクロロイソシアヌル酸、トリクロロイソシアヌル酸以外の成分を単独で用いることも可能である。さらに、ジクロロイソシアヌル酸およびトリクロロイソシアヌル酸を含む数種類の塩素化シアヌル酸のうちからいくつかの成分を適宜選択し、それらの成分を混合させた錠剤を用いたりすることも可能である。
【００３７】
なお、錠剤状の塩素化シアヌル酸は、例えば、金型（図示せず）を用い、上述した成分の粉末を金型の中に充填して加圧することで得ることができる。
【００３８】
このような酸化ユニット２０としては、例えば、図２〜図４に示すような薬剤供給装置を用いることが可能である。
【００３９】
次に、酸化ユニット２０としての薬剤供給装置について説明する。
【００４０】
薬剤供給装置は、被処理水が流入可能な流入口２１ａと処理水（一次処理水）が流出可能な流出口２１ｂとを有する筐体部２１を備えている。
【００４１】
この筐体部２１内には回転軸２２が設けられている。そして、この回転軸２２周りに回転できるように薬剤保持部２３が筐体部２１内に設けられている。
【００４２】
筐体部２１は、両端に流入口２１ａおよび流出口２１ｂが設けられた筒状部２１ｅと、筒状部２１ｅの中央部に円弧状に設けられる円筒部２１ｆと、を備えている。そして、筐体部２１の中央部には、略円柱状の空間２１ｃが形成されており、この空間２１ｃ内に薬剤保持部２３が回転可能に収容されている。
【００４３】
薬剤保持部２３は、略円筒状のケースであり、内部に薬剤２４を収容して保持するものである。そして、薬剤保持部２３は、少なくとも一部が網目状に形成されている。本実施形態では、薬剤保持部２３の周面部２３ｃおよび側面部２３ｄのほぼ全面が網目状に形成されている。
【００４４】
そして、薬剤保持部２３の両側面部２３ｅの中心部には回転軸２２がそれぞれ設けられている。この回転軸２２は、薬剤保持部２３と一体に設けられていてもよいし、薬剤保持部２３とは別体に設けられていてもよい。
【００４５】
そして、薬剤保持部２３に設けられた回転軸２２が筐体部２１に設けられた軸受け２１ｄに回転可能に支持されることで、薬剤保持部２３が回転軸２２周りに回転できるように筐体部２１内に設けられることとなる。
【００４６】
このとき、薬剤保持部２３は、少なくとも下方部分が流入口２１ａから流入される被処理水に接触できるように筐体部２１内に設けられている。すなわち、薬剤保持部２３の下方部分が筒状部２１ｅ内に位置するように、薬剤保持部２３を筐体２１内に配置している。
【００４７】
また、本実施形態では、薬剤保持部２３は、蓋部２３ａと薬剤収容ケース２３ｂとを備えており、蓋部２３ａを取り外すことで、薬剤２４を薬剤保持部２３内に収容できるようにしている。
【００４８】
さらに、薬剤収容ケース２３ｂ内には、仕切り部２３ｅが複数設けられており、複数の仕切り部２３ｅによって複数の薬剤収容部２３ｆが画成されている。そして、個々の薬剤収容部２３ｆに錠剤状の薬剤（錠剤状に固められた塩素化シアヌル酸）２４を充填するようになっている。
【００４９】
本実施形態では、４つの仕切り部２３ｅによって４つの薬剤収容部２３ｆに区画されており、この４つの仕切り部２３ｅも網目状に形成されている。なお、仕切り部２３ｅの数はこれに限定されるものではないが、薬剤保持部２３を一回転させた際に、いずれの状態においても仕切り部２３ｅが筐体部２１内に流入される被処理水と接触するように構成するのが好ましい。
【００５０】
かかる構成とすることで、薬剤保持部２３内に薬剤２４が収容されていない状態では、流入口２１ａから流入した被処理水は、薬剤保持部２３による抵抗をあまり受けることなく薬剤保持部２３の下流側に流れることができる。すなわち、薬剤保持部２３内に薬剤２４が収容されていない状態で被処理水を筐体部２１内に流入させたとしても、薬剤保持部２３が回転しないようになっている。
【００５１】
一方、薬剤保持部２３内に薬剤２４が収容された状態では、流入口２１ａから流入した被処理水は、薬剤２４による抵抗を受けることとなる。すなわち、薬剤保持部２３内に薬剤２４が収容された状態で被処理水を筐体部２１内に流入させた場合には、薬剤保持部２３が水流によって回転するようになっている。このとき、薬剤保持部２３内に収容された薬剤２４の量が減少すると、薬剤２４による抵抗が減少して薬剤保持部２３の回転数が減少することとなる。
【００５２】
このように、本実施形態では、薬剤保持部２３は、流入口２１ａから流入した被処理水が薬剤２４に接触することで回転軸２２まわりに回転するように構成されている。さらに、薬剤保持部２３は、薬剤２４の存在量に応じて回転数が変化するように構成されている。具体的には、薬剤２４の存在量が多ければ抵抗が大きいために薬剤保持部２３は多く回転し、薬剤２４の存在量が少なければ抵抗が減少するために薬剤保持部２３の回転数が減少するように設計されている。そのため、薬剤２４の存在量が減少すると薬剤保持部２３の回転数が減少するようになっている。
【００５３】
さらに、本実施形態では、薬剤保持部２３が回転しているのか否かを検知する回転検知部２５と、回転検知部の検知結果を提示する提示部２６とを備えている。
【００５４】
本実施形態では、回転検知部２５として一対の電極２５ａ、２５ｂが用いられている。具体的には、回転軸２２の端面に電極２５ａを設け、軸受け２１ｄに、電極２５ａと対向するように電極２５ｂを設けている。こうして、薬剤保持部２３が回転した際には、電極２５ａと電極２５ｂとが相対的に回転して誘導電流が生じるようにしている。
【００５５】
そして、一対の電極２５ａ、２５ｂにそれぞれ接続された配線Ｈによって、誘導電流が提示部２６に出力データとして送信されるようになっており、この提示部２６によって、薬剤保持部２３が回転しているのか否かを確認することができるようになっている。
【００５６】
なお、薬剤保持部２３が回転しているのか否かの検知方法としては、直接薬剤２４の画像をモニタリングするためのカメラを内蔵する方法、ＬＥＤなどの光を用いて残量をモニタリングする方法等も挙げられ、いずれの方法を用いても特に問題はない。しかしながら、回転軸２２と軸受け２１ｄに電極２５ａ、２５ｂをそれぞれ設ける方法は簡便な手法であるため、このような方法によって検知するのがより好ましい。
【００５７】
また、提示部２６は回転検知部２５の信号を受けて、ユーザーに知らしめる部位であり、提示方法としては、上記の方法だけでなく、光で知らせる方法、音で知らせる方法などを用いることもできる。
【００５８】
なお、筐体部を透明なケースで形成して薬剤保持部２３の回転を目視によって検知できるようにすることも可能である。この場合、透明な筐体部が回転検知部および提示部を兼ねることになる。
【００５９】
また、図５に示すような薬剤供給装置（酸化ユニット２０Ａ）を用いることも可能である。図５に示す構成は、図２に示す構成とほぼ同一の構成をしており、薬剤保持部２３の下流側に、薬剤成分を検出する薬剤検出部２７が配置されている点が主に異なっているものである。かかる構成とすることで、薬剤保持部２３を通過した水に含有される薬剤成分の量や濃度を薬剤検出部２７によって検出することができ、薬剤保持部２３に保持された薬剤２４の残量をより確実に把握することができるようになる。また、薬剤検出部２７は、薬剤保持部２３の下流側の流路に分岐部を設けることなく配置されるようになっているため、装置の構成が複雑化してしまうことを抑制することもできる。
【００６０】
濾過ユニット３０は、酸化ユニット２０によって被処理水に溶存している鉄を水酸化第二鉄として析出させた一次処理水から水酸化第二鉄を除去するものである。
【００６１】
濾過させる手段としては、砂濾過、膜ろ過等の方法を適宜選択することができる。
【００６２】
砂濾過による濾過を行う場合、酸化ケイ素、酸化アルミニウムで構成される濾材３０ａを用いるのが好ましい。こうすれば、固体として析出された水酸化第二鉄の除去だけでなく、完全に酸化させることができずに一次処理水中に溶存している鉄成分を吸着除去することもできるようになる。このような濾材３０ａとしては株式会社トーケミ製のろ過砂の０．３５ｍｍや０．５ｍｍ等を用いることができる。
【００６３】
さらに、濾過ユニット３０に、鉄を５重量％以上含有する濾材３０ａが１０％以上含まれるようにすれば、吸着濾過能力および物理濾過能力をさらに向上させることができるようになる。このような濾材３０ａとしては、株式会社トーケミ製のフェロライトＭＣ２やフェロライトＭＣ３、トヨレックスＦ２等を用いることができる。なお、濾材３０ａの大きさについては、濾過能力の観点から１ｍｍ以下とするのが好適である。
【００６４】
また、膜濾過によって鉄成分を除去することも可能であり、このような濾過膜としては、マイクロフィルタ、ウルトラフィルタ、ＲＯフィルタ等を適宜選択することができる。例えば、マイクロフィルタとしては、旭化成せんい株式会社製のユーテック（登録商標）ＭＦのＡＭシリーズの型式Ａ−ＴＷＰや型式ＡＭＳＰ等を用いることができる。なお、砂濾過と膜ろ過を併用するようにしてもよい。
【００６５】
活性炭ユニット４０は、遊離塩素等の塩素化シアヌル酸成分が下流側に流出しないように吸着濾過するものである。この活性炭は特に規定されるものではないが、日本エンバイロケミカルズ株式会社製の白鷺（登録商標）Ｃや粒状白鷺ＷＨ２ｃ等を用いることができる。
【００６６】
なお、活性炭ユニット４０は、薬剤保持部２３に可能な限り収容された薬剤２４が全て溶解した際に生成される塩素化シアヌル酸成分の全てを吸着させることができる程度の吸着能力を有するように構成するのが好ましい。こうすれば、塩素化シアヌル酸成分が下流側に流出してしまうのをより確実に防止することができる。
【００６７】
また、薬剤２４の補充時期と濾過ユニット３０や活性炭ユニット４０の交換時期がほぼ一致するように構成すれば、浄水モジュール１や浄水装置１０のメンテナンス管理が容易になる。
【００６８】
次に、かかる構成を備える浄水モジュール１および浄水装置１０の動作を説明する。
【００６９】
まず、ポンプ５０を作動させることで、被処理水としての井戸水が配管Ｐ０内を通って流入口２１ａから酸化ユニット２０内に導入される。
【００７０】
そして、流入口２１ａから流入した被処理水は、薬剤保持部２３に収容された薬剤（塩素化シアヌル酸成分で形成された錠剤）２４に接触する。
【００７１】
このように、薬剤２４を被処理水に接触させることで、被処理水中に活性塩素が放出されることとなる。そして、この活性塩素によって被処理水に溶存している第一鉄が第二鉄へと酸化される。さらに、第二鉄は、活性塩素によって水酸化第二鉄のような酸化固形物へと変化させられる。
【００７２】
このとき、流入口２１ａから流入した被処理水には薬剤２４による抵抗が働くため、筐体部２１内に回転可能に設けられた薬剤保持部２３が回転軸２２まわりに回転することとなる。この回転は、回転検出部２５および提示部２６によって把握することができる。
【００７３】
すなわち、被処理水が流入口２１ａから酸化ユニット２０内に流入すると、薬剤保持部２３は、流入した被処理水が薬剤に接触しながら回転軸２２まわりに回転することとなる。そのため、薬剤保持部２３内に収容された個々の錠剤の被処理水との接触機会をより均等にすることができる。したがって、薬剤保持部２３内に収容された薬剤２４の溶解が一部分に偏ってしまうのが抑制される。
【００７４】
薬剤保持部２３を通過した水は、析出された水酸化第二鉄を含む一次処理水となり、この一次処理水が配管Ｐ１を通って濾過ユニット３０に導入される。
【００７５】
そして、濾過ユニット３０に導入された一次処理水が濾材３０ａを通過することにより析出された水酸化第二鉄が濾過される。その結果、多くの鉄成分が除去された二次処理水が生成される。このとき、水中に溶存している鉄成分の吸着除去が可能な濾材３０を用いれば、一次処理水中に溶存している鉄成分を吸着除去することもできるため、より多くの鉄成分が除去された二次処理水を生成することができるようになる。なお、一次処理水が濾材３０ａを通過することによって、一次処理水中に含まれる固形の不純物等も取り除かれる。
【００７６】
そして、二次処理水は、配管Ｐ２を通って活性炭ユニット４０に導入される。
【００７７】
二次処理水が活性炭ユニット４０に導入されると、二次処理水中に含まれる塩素化シアヌル酸成分が活性炭ユニット４０に設けられた活性炭によって吸着濾過される。こうして、塩素化シアヌル酸成分が除去された三次処理水が生成される。なお、二次処理水が活性炭を通過することによって、二次処理水中に溶存する他の成分も活性炭に吸着濾過される。
【００７８】
こうして生成された三次処理水が配管Ｐ０を通って蛇口６０から吐出される。
【００７９】
このように、浄水モジュール１および浄水装置１０を用いることで、被処理水中に溶存する鉄成分を除去することができるようになる。したがって、鉄成分を多く含む井戸水等の被処理水を飲料水等の生活用水として用いるのに適した浄水とすることが可能となる。
【００８０】
また、浄水モジュール１および浄水装置１０では、薬剤保持部２３が回転しているのか否かを回転検知部２５および提示部２６によってユーザーに知らしめることができるように構成されている。そのため、薬剤保持部２３の回転数が減少したことを把握した際、もしくは、薬剤保持部２３が回転していないことを把握した際に、薬剤２４の補充を行うことができるようになっている。
【００８１】
次に、浄水装置の変形例について説明する。
【００８２】
浄水装置としては、図６に示すような浄水装置１０Ｂを用いることも可能である。そして、このような浄水装置１０Ｂをハウジング１ａ内に組み込むことで、浄水モジュール１Ｂを得ることができる。
【００８３】
浄水装置１０Ｂは、浄水装置１０と同様に、上流側から順に、錠剤状の塩素化シアヌル酸が被処理水に接触できるように配置される酸化ユニット２０、濾過ユニット３０、活性炭ユニット４０が配置されている。なお、酸化ユニット２０は酸化ユニット２０Ａとすることもできる。
【００８４】
そして、活性炭ユニット４０の下流側に殺菌ユニット７０が配置されている。すなわち、活性炭ユニット４０の下流側に連結された配管Ｐ３の途中に殺菌ユニット７０が配置されている。
【００８５】
なお、上述したように、酸化ユニット２０、２０Ａも水中の菌を殺菌する殺菌能力を有しており、酸化ユニット２０、２０Ａは殺菌ユニットも兼ねるものであるが、浄水装置１０Ｂは、それとは別の殺菌ユニット７０をさらに備えるものである。
【００８６】
かかる構成とすることで、水中の菌がより確実に殺菌され、より飲料に適した水を得ることができるようになる。
【００８７】
殺菌ユニット７０としては、紫外線殺菌部７０ａを有するものを用いることができる。また、オゾン殺菌部７０ｂを有するものとすることもできる。なお、紫外線による殺菌とオゾンによる殺菌の両方を併用させた殺菌ユニット７０とすることも可能である。図６には、紫外線殺菌部７０ａまたはオゾン殺菌部７０ｂが設けられたものを模式的に示している。
【００８８】
紫外線殺菌部７０ａを有する殺菌ユニット７０の紫外線源としては、一般的な２５４ｎｍの殺菌線を放射する光源を用いることができる。
【００８９】
さらに、２５４ｎｍの殺菌線だけではなく、１８５ｎｍの殺菌線をも放射させることができる光源を用いることも可能である。すなわち、深紫外線波長領域の光を発生させる紫外線殺菌部７０ａを有するようにすることも可能である。こうすれば、より殺菌能力が高いヒドロキシラジカルを発生させることができるため、殺菌ユニット７０による殺菌能力をさらに高めることができる。
【００９０】
このような光源としては、ＤＮライティング株式会社製のＳＧＬ−４００Ｔ４Ｕ（Ｚ）やＳＧＬ−１０００Ｔ１２ＥＨＺを用いることができる。
【００９１】
また、殺菌ユニット７０としてオゾン殺菌部７０ｂを有するものを用いた場合には、オゾンの残留効果によって、継続的な殺菌効果が期待できる。このようなオゾンを付与するデバイスとして、オゾンアソシア株式会社製のオゾンチューブＴＢ１２０を用いることができる。例えば、このデバイスを配管Ｐ３の途中に挿入することによって、活性炭ユニット４０の下流側を流れる処理水にオゾンを付与することができる。
【００９２】
以上説明したように、本実施形態にかかる浄水装置１０は、被処理水中に溶存する鉄成分を除去することが可能な装置である。そして、この浄水装置１０は、錠剤状の塩素化シアヌル酸が被処理水に接触できるように配置される酸化ユニット２０と、酸化ユニット２０の下流側に配置される濾過ユニット３０と、濾過ユニット３０の下流側に配置される活性炭ユニット４０と、を備えている。
【００９３】
このように、上流側から酸化ユニット２０、濾過ユニット３０、活性炭ユニット４０という順で配置されるようにすることで、まず、酸化ユニット２０にて被処理水中に溶存している鉄成分を酸化固形物として析出させることができる。次に、濾過ユニット３０によって析出された酸化固形物を除去することができる。そして、活性炭ユニット４０によって塩素化シアヌル酸成分を除去することができる。
【００９４】
すなわち、本実施形態にかかる浄水装置１０を用いることで、被処理水中に溶存している鉄成分が除去されるだけでなく、飲料水としての使用には適さない塩素化シアヌル酸成分も除去することができるようになる。したがって、鉄成分が溶存している被処理水を処理して飲料水や生活用水としての使用にも適した浄水とすることができる。
【００９５】
また、上流側から酸化ユニット２０、濾過ユニット３０、活性炭ユニット４０の順で配置した構成とすることで、浄水装置１０の構成の簡素化および小型化を図ることができる。
【００９６】
さらに、本実施形態では、取り扱いが容易な塩素化シアヌル酸を錠剤状に固めたものを薬剤２４として使用し、この薬剤２４に被処理水を接触させて鉄成分を酸化させている。すなわち、薬液を注入することなく、被処理水中に溶存している鉄成分を酸化固形物として析出させることができるようにしている。そのため、薬液の注入量を精密に制御する必要がなくなる上、浄水装置１０をより安全に取り扱うことができるようになる。
【００９７】
また、濾過ユニット３０に、鉄を５重量％以上含有する濾材３０ａが１０％以上含まれるようにすれば、吸着濾過能力および物理濾過能力をさらに向上させることができるようになる。したがって、被処理水中に溶存している鉄成分をより多く除去することができるようになり、より飲料に適した水を供給することができるようになる。
【００９８】
また、浄水装置１０Ｂのように、活性炭ユニット４０の下流側に殺菌ユニット７０を配置するようにすれば、殺菌ユニット７０によって水中の菌が殺菌されるため、より一層飲料に適した水を供給することができるようになる。
【００９９】
そして、殺菌ユニット７０が深紫外線波長領域の光を発生させる紫外線殺菌部７０ａを有するようにすれば、より殺菌能力が高いヒドロキシラジカルを発生させることができるため、殺菌ユニット７０による殺菌能力をさらに高めることができる。
【０１００】
また、殺菌ユニット７０がオゾン殺菌部７０ｂを有するようにすれば、オゾンの残留効果によって、継続的に殺菌を行うことができるようになる。
【０１０１】
そして、上述した浄水装置１０や浄水装置１０Ｂをハウジング１ａ内に組み込んでモジュール化すれば、上述の作用効果を奏することのできる浄水モジュール１や浄水モジュール１Ｂを得ることができる。
【０１０２】
このように、モジュール化することで、より容易に設置することが可能となり、装置の設置自由度を向上させることができる。
【０１０３】
また、酸化ユニット２０，２０Ａとしての薬剤供給装置は、被処理水が流入可能な流入口２１ａと処理水が流出可能な流出口２１ｂとを有する筐体部２１を備えている。
【０１０４】
また、薬剤供給装置は、筐体部２１内に設けられた回転軸２２と、筐体部２１内で回転軸２２周りに回転できるように設けられ、薬剤２４を保持する薬剤保持部２３と、を備えている。
【０１０５】
さらに、薬剤供給装置は、薬剤保持部２３が回転しているのか否かを検知する回転検知部２５と、回転検知部２５の検知結果を提示する提示部２６と、を備えている。
【０１０６】
そして、薬剤保持部２３は、流入口２１ａから流入した被処理水が薬剤２４に接触することで回転軸２２まわりに回転するように構成されており、かつ、薬剤２４の存在量に応じて回転数が変化するように構成されている。
【０１０７】
かかる構成とすることで、薬剤２４を供給することができる上、供給される薬剤２４の残量を検知することが可能な薬剤供給装置の構成の簡素化および小型化を図ることが可能となる。
【０１０８】
また、薬剤保持部２３は、少なくとも一部が網目状に形成されている。こうすれば、薬剤保持部２３内に薬剤２４が収容されていない状態では、流入口２１ａから流入した被処理水を、薬剤保持部２３による抵抗をあまり受けることなく薬剤保持部２３の下流側に流すことができるようになる。したがって、流入口２１ａから流入した被処理水が薬剤２４に接触することで回転軸２２まわりに回転し、薬剤２４の存在量に応じて回転数が変化する薬剤保持部２３をより容易に得ることができる。
【０１０９】
さらに、薬剤保持部２３の下流側に、薬剤成分を検出する薬剤検出部２７を配置するようにしてもよい。こうすれば、薬剤保持部２３を通過した水に含有される薬剤成分の量や濃度を薬剤検出部２７によって検出することができ、薬剤保持部２３に保持された薬剤２４の残量をより確実に把握することができるようになる。
【０１１０】
このとき、薬剤検出部２７を、薬剤保持部２３の下流側の流路に分岐部を設けることなく配置するのが好ましい。こうすれば、装置の構成が複雑化してしまうことを抑制することができる。
【０１１１】
以上、本発明の好適な実施形態について説明したが、本発明は上記実施形態およびその変形例には限定されず、種々の変形が可能である。
【０１１２】
例えば、上記実施形態およびその変形例では、浄水装置１０や浄水装置１０Ｂをハウジング１ａ内に組み込んでモジュール化したものを例示している。しかしながら、固定された配管に、酸化ユニット２０、濾過ユニット３０、および活性炭ユニット４０を配置することで、浄水装置１０や浄水装置１０Ｂを得るようにすることも可能である。
【０１１３】
また、酸化ユニットの構成や薬剤保持部の構成は、上述の構成に限るものではなく、適宜に変更することが可能である。
【符号の説明】
【０１１４】
１，１Ｂ  浄水モジュール
１ａ  ハウジング
１０，１０Ｂ  浄水装置
２０，２０Ａ  酸化ユニット
３０  濾過ユニット
３０ａ  濾材
４０  活性炭ユニット
７０  除菌ユニット
７０ａ  紫外線殺菌部
７０ｂ  オゾン殺菌部
【図１】
2015213890.tif 000003
【図２】
2015213890.tif 000004
【図３】
2015213890.tif 000005
【図４】
2015213890.tif 000006
【図５】
2015213890.tif 000007
【図６】
2015213890.tif 000008